(57)【特許請求の範囲】
【請求項１】
嵌合開口が画成されている金属板であって、前記嵌合開口は当該金属板の厚さ方向に当該金属板を貫通している金属板と、
前記嵌合開口の中に配置され、金属から構成される取付シートと、
前記嵌合開口の中に配置され、前記取付シートを取り囲んでいる絶縁ワッシャと、
前記取付シートの上に配置されるＮＦＣアンテナと、
を備え、
前記取付シートは、前記取付シートの放射方向に延びている第１貫通スロットを備え、
前記金属板は、前記嵌合開口から前記金属板の外周に向かって延びている第２貫通スロットを備える、
ＮＦＣアンテナ組立体。
【請求項２】
前記取付シートは、取付穴を備え、
前記第１貫通スロットは、前記取付穴から前記取付シートの外周に向かって延びている、
請求項１に記載のＮＦＣアンテナ組立体。
【請求項３】
前記絶縁ワッシャの内周は、前記取付シートの外周に当接している、
請求項２に記載のＮＦＣアンテナ組立体。
【請求項４】
前記第１貫通スロットは、前記取付シートの下部に形成されると共に、上下方向に延びる細長いスロットとして構成され、
前記第１貫通スロットの下端は、前記取付シートの外周の下部に向かって延びており、
前記第１貫通スロットの上端は、前記取付穴に向かって延びている、
請求項２に記載のＮＦＣアンテナ組立体。
【請求項５】
前記第２貫通スロットは、前記第１貫通スロットの長手方向に延びる細長いスロットとして構成され、
前記第２貫通スロットの下端は、前記取付穴に向かって延びており、
前記第２貫通スロットの上端は、前記金属板の外周の上部に向かって延びている、
請求項４に記載のＮＦＣアンテナ組立体。
【請求項６】
前記ＮＦＣアンテナは、
前記取付シートに接続されたアンテナコイルと、
前記アンテナコイルと前記取付シートの間に配置され、前記アンテナコイルを前記取付シートに接続させるように構成されているアンテナコイル接着層と、
前記アンテナコイルの上に配置されたフェライトコーティングと、
前記フェライトコーティングと前記アンテナコイルの間に配置され、前記フェライトコーティングを前記アンテナコイルに接続させるように構成されているフェライトコーティング接着層と、
を備える、請求項４に記載のＮＦＣアンテナ組立体。
【請求項７】
前記アンテナコイルは、前記アンテナコイルの中心に位置する巻線穴をさらに備え、
前記巻線穴は、前記取付シートの前記取付穴と重なり合っている、
請求項６に記載のＮＦＣアンテナ組立体。
【請求項８】
前記ＮＦＣアンテナは、
前記アンテナコイル接着層と前記取付シートの間に配置されている金属薄層と、
前記金属薄層と前記取付シートの間に配置され、前記金属薄層を前記取付シートに接続させるように構成されている金属薄層接着層と、
をさらに備える、請求項７に記載のＮＦＣアンテナ組立体。
【請求項９】
前記金属薄層は、
貫通穴と、
前記貫通穴から前記金属薄層の外周まで延びている第３貫通スロットと、
を備える、請求項８に記載のＮＦＣアンテナ組立体。
【請求項１０】
前記アンテナコイルの中心にある前記巻線穴は、前記取付穴および前記貫通穴と重なり合っている、
請求項９に記載のＮＦＣアンテナ組立体。
【請求項１１】
前記第３貫通スロットは、上下方向に延びる細長いスロットとして構成される、
請求項９に記載のＮＦＣアンテナ組立体。
【請求項１２】
前記第３貫通スロットは、前記金属薄層の上部に形成され、
前記第３貫通スロットの下端は前記貫通穴まで延びており、
前記第３貫通スロットの上端は前記金属薄層の外周の上部まで延びている、
請求項９に記載のＮＦＣアンテナ組立体。
【請求項１３】
前記第３貫通スロットは、前記第１貫通スロットの長手方向に延びている、
請求項９に記載のＮＦＣアンテナ組立体。
【請求項１４】
前記金属薄層の厚さは、10μm〜100μmの範囲である、
請求項８から１３のいずれか１項に記載のＮＦＣアンテナ組立体。
【請求項１５】
前記金属薄層の面積は前記嵌合開口の面積より大きく、
前記金属薄層の外周は前記金属板の上に配置され、前記金属板と絶縁接続される、
請求項８から１３のいずれか１項に記載のＮＦＣアンテナ組立体。
【請求項１６】
前記金属薄層の外周は、前記嵌合開口の外周よりも2mm〜15mmはみ出している、
請求項１５に記載のＮＦＣアンテナ組立体。
【発明の詳細な説明】
【技術分野】
【０００１】
（関連出願の相互参照）
本願は、以下の出願の優先権およびその利益を主張する。
１）中華人民共和国国家知識産権局（ＳＩＰＯ）に２０１３年１２月３１日に出願された中国特許出願第２０１３１０７５４１５４．５号
２）中華人民共和国国家知識産権局（ＳＩＰＯ）に２０１３年１２月３１日に出願された中国特許出願第２０１３２０８９１４８３．Ｘ号
上記の特許出願の開示内容は、参照によって本願にすべて組み込まれるものとする。
【０００２】
（技術分野）
本開示は、広くは近距離無線通信（ＮＦＣ）に関し、特にＮＦＣアンテナ組立体に関する。
【背景技術】
【０００３】
メタルシェルに取り付けられた従来のＮＦＣアンテナの構造には、いくつか課題がある。例えば、渦電流損が大きい、体積が比較的大きい、通信距離が短い、などである。
【発明の概要】
【発明が解決しようとする課題】
【０００４】
本開示の実施形態は、従来技術における少なくとも一つの課題を少なくともある程度解決するか、もしくは有用な代替案を消費者に提供しようと試みるものである。
【課題を解決するための手段】
【０００５】
本開示の実施形態は、ＮＦＣアンテナ組立体を提供する。このＮＦＣアンテナ組立体は、嵌合開口が画成されている金属板であって、前記嵌合開口は当該金属板の厚さ方向に当該金属板を貫通している金属板と、前記嵌合開口の中に配置される取付シートと、前記嵌合開口の中に配置され、前記取付シートを取り囲んでいる絶縁ワッシャと、前記取付シートの上に配置されるＮＦＣアンテナと、を含み、前記取付シートは、前記取付シートの放射方向に延びている第１貫通スロットを備え、前記金属板は、前記嵌合開口から前記金属板の外周に向かって延びている第２貫通スロットを備える。
【０００６】
本開示の実施形態に従ったＮＦＣアンテナ組立体によれば、取付シートに第１貫通スロットを配置することと、金属板に第２貫通スロットを配置することによって、渦電流が少なくなる。増幅器と同等である金属板に磁力線がつながり、それによって磁束が改善され、磁力線が嵌合開口を通り抜けられるようになる。そして、通信距離は長くなり、ＮＦＣアンテナ組立体の体積は小さくなり、コストを抑えられる。さらに、絶縁ワッシャを配置することによって、金属板は取付シートから絶縁され、その結果、安全に使用されるようになる。
【０００７】
加えて、本開示の実施形態に従ったＮＦＣアンテナ組立体は、以下のような付加的な特徴をさらに備える。
【０００８】
本開示のいくつかの実施形態において、前記取付シートは、取付穴を備え、前記第１貫通スロットは、前記取付穴から前記取付シートの外周に向かって延びている。
【０００９】
本開示のいくつかの実施形態において、前記絶縁ワッシャの内周は、前記取付シートの外周に当接している。
【００１０】
本開示のいくつかの実施形態において、前記第１貫通スロットは、前記取付シートの下部に形成されると共に、上下方向に延びる細長いスロットとして構成される。前記第１貫通スロットの下端は、前記取付シートの外周の下部に向かって延びており、前記第１貫通スロットの上端は、前記取付穴に向かって延びている。
【００１１】
本開示のいくつかの実施形態において、前記第２貫通スロットは、前記第１貫通スロットの長手方向に延びる細長いスロットとして構成される。前記第２貫通スロットの下端は、前記取付穴に向かって延びており、前記第２貫通スロットの上端は、前記金属板の外周の上部に向かって延びている。
【００１２】
本開示のいくつかの実施形態において、ＮＦＣアンテナは、前記取付シートに接続されたアンテナコイルと、前記アンテナコイルと前記取付シートの間に配置され、前記アンテナコイルを前記取付シートに接続させるように構成されているアンテナコイル接着層と、前記アンテナコイルの上に配置されたフェライトコーティングと、前記フェライトコーティングと前記アンテナコイルの間に配置され、前記フェライトコーティングを前記アンテナコイルに接続させるように構成されているフェライトコーティング接着層と、を含む。
【００１３】
本開示のいくつかの実施形態において、前記アンテナコイルは、前記アンテナコイルの中心に位置する巻線穴をさらに含み、前記巻線穴は、前記取付シートの前記取付穴と重なり合っている。
【００１４】
本開示のいくつかの実施形態において、前記ＮＦＣアンテナは、前記アンテナコイル接着層と前記取付シートの間に配置されている金属薄層と、前記金属薄層と前記取付シートの間に配置され、前記金属薄層を前記取付シートに接続させるように構成されている金属薄層接着層と、をさらに含む。
【００１５】
本開示のいくつかの実施形態において、前記金属薄層は、貫通穴と、前記貫通穴から前記金属薄層の外周まで延びている第３貫通スロットと、を含む。
【００１６】
本開示のいくつかの実施形態において、前記アンテナコイルの中心にある前記巻線穴は、前記取付穴および前記貫通穴と重なり合っている。
【００１７】
本開示のいくつかの実施形態において、前記第３貫通スロットは、上下方向に延びる細長いスロットとして構成される。
【００１８】
本開示のいくつかの実施形態において、前記第３貫通スロットは、前記金属薄層の上部に形成され、前記第３貫通スロットの下端は前記貫通穴まで延びており、前記第３貫通スロットの上端は前記金属薄層の外周の上部まで延びている。
【００１９】
本開示のいくつかの実施形態において、前記第３貫通スロットは、前記第１貫通スロットの長手方向に延びている。
【００２０】
本開示のいくつかの実施形態において、前記金属薄層の厚さは、10μm〜100μmの範囲である。
【００２１】
本開示のいくつかの実施形態において、前記金属薄層の面積は前記嵌合開口の面積より大きく、前記金属薄層の外周は前記金属板の上に配置され、前記金属板と絶縁接続される。
【００２２】
本開示のいくつかの実施形態において、前記金属薄層の外周は、前記嵌合開口の外周よりも2mm〜15mmはみ出している。
【００２３】
本開示の実施形態の付加的な特徴および利点は、以下の説明において部分的に示され、この説明から一部が明らかになるか、または、本開示の実施形態の実施により理解され得る。
【００２４】
本開示の実施形態の上述および付加的な特徴と利点は、下記の添付図面を参照した実施形態に対する説明により明らかになり、理解が容易になる。
【図面の簡単な説明】
【００２５】
【図１】本開示の一実施形態に係るＮＦＣアンテナ組立体を示す概略図である。
【図２】本開示の一実施形態に係るＮＦＣアンテナ組立体の金属板を示す概略図である。
【図３】本開示の一実施形態に係るＮＦＣアンテナ以外のＮＦＣアンテナ組立体の概略図である。
【図４】本開示の一実施形態に係るＮＦＣアンテナ組立体のＮＦＣアンテナを示す概略図である。
【図５】本開示の一実施形態に係るＮＦＣアンテナ組立体のフェライトコーティングを示す概略図である。
【図６】本開示の一実施形態に係るＮＦＣアンテナ組立体のアンテナコイルを示す概略図である。
【図７】本開示の一実施形態に係るＮＦＣアンテナ組立体を示す断面図である。
【図８】本開示の別の一実施形態に係るＮＦＣアンテナ組立体を示す概略図である。
【図９】本開示の別の一実施形態に係るＮＦＣアンテナ組立体を示す断面図である。
【図１０】本開示の別の一実施形態に係るＮＦＣアンテナ組立体のＮＦＣアンテナを示す概略図である。
【図１１】本開示の別の一実施形態に係るＮＦＣアンテナ組立体の金属薄層を示す概略図である。
【発明を実施するための形態】
【００２６】
本開示の実施形態について詳細に述べる。図面を参照した本明細書に記載の実施形態は、説明および例示上のものであり、一般的に本開示を理解するために使用される。実施形態は、本開示を限定するものと解釈してはならない。同一又は類似の要素、および同一又は類似の機能を有する要素については、説明全体を通して同様の参照符号を付す。
【００２７】
説明においては、別段特定又は限定しない限り、「中心」、「縦」、「横」、「前」、「後」、「右」、「左」、「内」、「外」、「下」、「上」、「水平」、「垂直」、「上方」、「下方」、「上部」、「上端」、「下端」のような相対語、およびそれらの派生語（例えば、「水平に」、「下に」、「上に」等）は、説明される方向又は議論中の図面に示される方向を言及するものと解釈されるべきである。これらの相対語は、本開示の説明を単純化するためのものであって、本開示が特定の向きで構築又は動作することを必要とするものではない。
【００２８】
また、「第１」および「第２」等の用語は、本明細書中では説明の目的で使用され、相対的な重要性又は有意性を示唆又は意味するものではなく、言及された技術的特徴の量を黙示的に示唆するものでもない。さらに、「第１」及び「第２」で定義された特徴は、この特徴を一つまたは複数包含してよい。本開示の説明の中で、「複数の」は、特に指定が無い限り、この特徴が二つまたは二つより多いことを意味する。
【００２９】
説明の中で、「接続された」や「相互接続された」などの取り付けや連結などに関する用語は、明示的にその他の説明が無い限り、機械的もしくは電気的な接続を通して、または、直接的もしくは間接的に介在する構造を通して、構造が互いに固定され、または取り付けられた関係を言う。上記の表現や用語の特定の意味合いは、特定の状況に従った技術の分野における当業者によって理解され得る。
【００３０】
本開示の実施形態に係るＮＦＣアンテナ組立体１００について、図を参照して以下に説明する。
【００３１】
図１から１１に示すように、本開示の実施形態に係るＮＦＣアンテナ組立体１００は、金属板２０と、取付シート１０と、絶縁ワッシャ３０と、ＮＦＣアンテナ４０と、を含む。特に、嵌合開口２１が金属板２０に形成され、金属板２０を通って金属板の厚さ方向に延びている。取付シート１０は嵌合開口２１の中に配置され、ＮＦＣアンテナ４０は取付シート１０の上に配置されている。絶縁ワッシャ３０は、嵌合開口２１の中に配置され、取付シート１０を取り囲んでいる。取付シート１０は、取付シート１０の放射方向に延びている第１貫通スロット１２を含み、金属板２０は、嵌合開口２１から金属板２０の外周に向かって延びている第２貫通スロット２２を含む。
【００３２】
本開示の実施形態に係るＮＦＣアンテナ組立体１００では、取付シート１０に第１貫通スロット１２を配置することと、金属板２０に第２貫通スロット２２を配置することによって、渦電流が少なくなる。増幅器と同等である金属板２０に磁力線がつながり、それによって磁束が改善され、磁力線が嵌合開口２１を通り抜けられるようになる。そのため、通信距離は長くなり、ＮＦＣアンテナ組立体１００の体積は小さくなり、コストを抑えられる。さらに、絶縁ワッシャ３０を配置することによって、金属板２０は取付シート１０から絶縁され、その結果、安全に使用されるようになる。
【００３３】
本開示の一実施形態において、ＮＦＣアンテナ組立体１００を本開示の実施形態に従って組み立てる際、嵌合開口２１と第２貫通スロット２２が、最初に金属板２０に形成され、第１貫通スロット１２が取付シート１０に形成される。それから、取付シート１０が金属板２０に画成された嵌合開口２１の中に入るように配置される。絶縁ワッシャ３０も嵌合開口２１の中に入るように配置され、取付シート１０を固定するように取付シート１０を取り囲む。最後に、ＮＦＣアンテナ４０が取付シート１０の上に固定される。絶縁ワッシャ３０の大きさは、取付シート１０と嵌合開口２１の間の隙間の大きさと同じであり、絶縁ワッシャ３０が取付シート１０をしっかりと固定するように、完全にその隙間を覆うことが可能となる。例えば、スプライシング接続などのように、ＮＦＣアンテナ４０と取付シート１０を固定する形態は、いろいろな形態があり得る。
【００３４】
取付シート１０と嵌合開口２１の構造には特別な制約は無いが、本開示の一実施形態においては、取付穴１１は取付シート１０に形成され、第１貫通スロット１２は、取付シート１０の外周と取付穴１１をつなげるスロットとして構成される。さらに、絶縁ワッシャ３０の内周は、取付シート１０の外周に当接している。図２に示すように、金属板２０の嵌合開口２１は四角形の穴として構成され、四角形の絶縁ワッシャ３０は、嵌合開口２１の外周と取付シート１０の外周の間で境を接し、それによって取付シート１０を嵌合開口２１の中に固定している。取付シート１０の第１貫通スロット１２の一方の端は、取付穴１１に向かって延びていて、他方の端は、絶縁ワッシャ３０に向かって延びている。
【００３５】
本開示のいくつかの実施形態においては、取付シート１０は金属シートであってもよい。本開示の実施形態に従ったＮＦＣアンテナ組立体１００を携帯電話に適用した場合、金属板２０は電話の背面カバーとして構成されてもよく、ＮＦＣアンテナ４０は背面カバーの上に配置されてもよい。特に、ＮＦＣアンテナ４０は携帯電話のカメラの場所に配置され、取付シート１０はカメラの金属板として構成されてもよい。カメラは嵌合開口２１の中に配置され、メインボードに溶接により接続されている。第１貫通スロット１２の端はカメラに接続されている。嵌合開口２１の形は、カメラの構造に合うようにさまざまな形を取ってよい。例えば、嵌合開口２１の形は円形（図３に示すように）でも、四角形でもよい。
【００３６】
第１貫通スロット１２と第２貫通スロット２２の位置と構造には、特別な制約は無い。本開示のいくつかの実施形態において、第１貫通スロット１２は、取付シート１０の下部に配置された細長いスロットとして構成されてもよく、上下方向に延びている。第１貫通スロット１２の下端は、取付シート１０の外周の下部に向かって延びていて、第１貫通スロット１２の上端は、取付穴１１に向かって延びている。本開示のいくつかの実施形態において、第２貫通スロット２２は、第１貫通スロット１２の長手方向に延びている細長いスロットとして構成されてもよい。第２貫通スロット２２の下端は、取付穴に向かって延びていて、第２貫通スロット２２の上端は、金属板２０の外周の上部に向かって延びている。したがって、第１貫通スロット１２と第２貫通スロット２２は異なる位置となってもよく、それによって大きさが比較的小さいアンテナでも通信距離は比較的長くなり、コストを抑えられる。さらに、第２貫通スロット２２と第１貫通スロット１２は１直線上に配置され、それによって渦電流が少なくなり、ＮＦＣアンテナ４０の性能が向上する。
【００３７】
本開示の一実施形態において、ＮＦＣアンテナ４０は、アンテナコイル４３と、アンテナコイル接着層４４と、フェライトコーティング４１と、フェライトコーティング接着層４２と、を含む。特に、アンテナコイル４３は取付シート１０に接続されている。アンテナコイル接着層４４はアンテナコイル４３と取付シート１０の間に配置され、アンテナコイル４３を取付シート１０に接続させるように構成されている。フェライトコーティング４１はアンテナコイル４３の上に配置される。フェライトコーティング接着層４２はフェライトコーティング４１とアンテナコイル４３の間に配置され、フェライトコーティング４１をアンテナコイル４３に接続させるように構成されている。言い換えると、ＮＦＣアンテナ４０は、上から下まで順に、フェライトコーティング４１と、フェライトコーティング接着層４２と、アンテナコイル４３と、アンテナコイル接着層４４と、を含む積層構造として構成されている。アンテナコイル接着層４４は、取付シート１０と接続されている。
【００３８】
本開示の一実施形態において、アンテナコイル４３は、アンテナコイル４３の中心に、巻線穴４３１をさらに含み、巻線穴４３１は取付シート１０の取付穴１１と重なり合っている。言い換えると、巻線穴４３１は取付シート１０の上方に配置され、巻線穴４３１の大きさは、取付穴１１と同じかそれより大きく、好ましくは、アンテナコイル接着層４４の中心は、取付シート１０の取付穴１１の中心と一致しているのが望ましい。
【００３９】
本開示の一実施形態において、アンテナコイル４３は、ＦＰＣ（フレキシブルプリント基板）アンテナとしてもよく、アンテナコイル４３の外観は、四角形や円形など、さまざまな形になり得る。四角形のアンテナコイル４３の一実施例を、以下に説明する。アンテナコイル４３の境界寸法の最大値は、24.5mm×17mmで、コイル数は６個、線幅は0.3mm、隣接する線同士の距離は0.1mm、コイルの銅膜厚は35μmである。フェライトコーティング４１の境界寸法の最大値は、24.5mm×17mmで、取付シート１０の取付穴１１の直径は9mm、第１貫通スロット１２の幅は1mm、アンテナコイル４３の巻線穴４３１の直径は9mm、第３貫通スロット４５２の幅は1mm、金属板２０の嵌合開口２１の大きさは、28mm×23mm、第２貫通スロット２２の幅は1mmである。
【００４０】
上記のような寸法の特徴を持つＮＦＣアンテナ組立体１００とカメラで、以下のように試験を行った。取付シート１０はカメラの金属板であり、金属板２０は電話の背面カバーである。タイプ１は、主実験であり、第１貫通スロットがカメラの金属板に形成され、第２貫通スロットが電話の背面カバーに形成されている。タイプ２は対照実験であり、カメラの金属板はその中に第１貫通スロットを画成せず、第２貫通スロットが電話の背面カバーに形成されている。電気回路に適合したカード読み取りモードにおける通信距離を評価基準として、実験結果は表１に記載の通りである。
【００４１】
【表１】
0006335312.tif 000002
【００４２】
表１に示すように、対照実験と比較して、タイプ１の方が性能が良い。言い換えると、カメラの金属板に第１貫通スロットを形成することによって、渦電流が少なくなり、増幅器と同等である金属板に磁力線がつながり、それによって磁束が改善され、磁力線が嵌合開口を通り抜けられるようになる。そのため、ＮＦＣアンテナ組立体１００の性能が改善され、ＮＦＣアンテナ組立体１００の体積は小さくなり、コストを抑えられる。
【００４３】
図８と図９に示すように、本開示の一実施形態において、ＮＦＣアンテナ４０’は、金属薄層４５と、金属薄層接着層４６と、をさらに含む。特に、金属薄層４５は、アンテナコイル接着層４４と取付シート１０の間に配置されている。金属薄層接着層４６は、金属薄層４５と取付シート１０の間に配置されている。言い換えると、ＮＦＣアンテナ４０’は、上から下まで順に、フェライトコーティング４１と、フェライトコーティング接着層４２と、アンテナコイル４３と、アンテナコイル接着層４４と、金属薄層４５と、金属薄層接着層４６と、を含む積層構造として構成されている。金属薄層接着層４６は取付シート１０に接続されている。
【００４４】
ＮＦＣアンテナ４０’を組み立てる際、各層を互いに強固に接続させるように、ＮＦＣアンテナ４０’には圧延工程が施され得る。それによって、ＮＦＣアンテナ４０’単体の性能パラメータは安定し、ＮＦＣアンテナ４０’と取付シート１０の間の全体としての不安定な接続によって生じる性能差や磁場変動差を減らすことができる。そして、ＮＦＣアンテナ４０’の安定性と生産性が向上し、コストを抑えられる。
【００４５】
図８に示すように、金属薄層４５の面積は取付シート１０の面積よりも少し大きく、嵌合開口２１の面積よりも小さい。嵌合開口２１が大きい時は、金属薄層４５の面積は取付シート１０の面積よりも大きくてよい。例えば、本開示の一実施形態において、金属薄層４５の面積は嵌合開口２１の面積より大きく、金属薄層４５の外周は金属板２０の上に配置され、金属板２０と絶縁接続される。特に、金属薄層４５の外周は、嵌合開口２１の外周よりも2mm〜15mmはみ出している。言い換えると、金属薄層４５は、嵌合開口２１を完全に覆っていて、嵌合開口２１の外周に隣接した金属板２０の一部を覆うように、嵌合開口２１からはみ出している。すなわち、金属板２０に覆われた金属薄層４５の範囲は、幅方向または長さ方向に2mm〜15mmの寸法となる。
【００４６】
本開示のいくつかの実施形態において、金属薄層４５と取付シート１０は、同一または類似の組成でもよく、金属薄層４５の厚さは10μm〜100μmであってもよい。したがって、ＮＦＣアンテナ４０’における金属薄層４５の厚さが増す場合には、ＮＦＣアンテナ４０’全体の厚さは相対的に薄い。
【００４７】
図１１に示すように、金属薄層４５は貫通穴４５１と、貫通穴４５１から金属薄層４５の外周まで延びた第３貫通スロット４５２と、をその中に画成している。金属薄層４５は、取付シート１０に合わせて、四角形として構成されてもよい。特に、アンテナコイル４３の中心にある巻線穴４３１は、取付穴１１および貫通穴４５１と重なり合っている。上から下まで順に、巻線穴４３１、貫通穴４５１、および取付穴１１が配置され、巻線穴４３１の面積は、取付穴１１の面積と貫通穴４５１の面積より、大きいか等しい大きさである。好ましくは、巻線穴４３１、取付穴１１および貫通穴４５１の中心は、相互に一致しているとよい。
【００４８】
本開示のいくつかの実施形態において、第３貫通スロット４５２は、上下方向に延びた細長いスロットとして構成されている。第３貫通スロット４５２は、金属薄層４５の上部に形成され、第３貫通スロット４５２の下端は貫通穴４５１まで延びていて、第３貫通スロット４５２の上端は金属薄層４５の外周の上部まで延びてもよい。本開示のいくつかの実施形態において、第３貫通スロット４５２は、第１貫通スロット１２の長手方向に延びていてよい。それによって、渦電流が少なくなり、磁力線が巻線穴４３１、貫通穴４５１および取付穴１１を通り抜けられるようになり、磁気変動量が増大する。また、増幅器と同等である、比較的大きな金属薄層４５と金属板２０に、磁力線がつながる。金属板２０、取付シート１０、および金属薄層４５に貫通スロットを配置することによって、体積の比較的小さいＮＦＣアンテナ４０’でも、通信距離は比較的長くなり、それによってコストを抑えられる。
【００４９】
本開示のいくつかの実施形態において、本開示の実施形態に従ったＮＦＣアンテナ組立体１００’を携帯電話に適用した場合、金属板２０は電話の背面カバーとして構成され、ＮＦＣアンテナ４０はその背面カバーの上の携帯電話のカメラの場所に配置されてもよい。取付シート１０はカメラの金属板として構成されてもよい。カメラは嵌合開口の中に取り付けられ、メインボードに溶接により接続されている。電話の背面カバーとカメラとの間の構造上の関係を、次に説明する。嵌合開口と、嵌合開口から電話の背面カバーの外周まで延びた第２貫通スロットと、が電話の背面カバーに形成されてもよい。嵌合開口より寸法の小さいカメラが嵌合開口の中に配置される。絶縁ワッシャ３０（例えばプラスチック部品）は、嵌合開口とカメラの間に配置され、嵌合開口の内側にカメラを固定する。カメラはメインボードの上に溶接されている。第１貫通スロットがカメラの金属板に形成され、ＮＦＣアンテナ４０’がカメラの金属板の上に配置される。特に、カメラの金属板の上の第１貫通スロットと金属薄層４５の上の第３貫通スロット４５２は、１直線上に形成され、角度差が１８０度であり、互いに絶縁されている。
【００５０】
本開示のいくつかの実施形態において、アンテナコイル４３の外観は、四角形や円形など、さまざまな形を取ってよい。四角形のアンテナコイル４３の実施例は、次に説明され得る。アンテナコイル４３の境界寸法の最大値は24.5mm×17mmで、コイル数は６個、線幅は0.3mm、隣接する線同士の距離は0.1mm、コイルの銅膜厚は35μmである。フェライトコーティング４１の境界寸法の最大値は、26.6mm×19mmで、取付シート１０の取付穴１１の直径は9mm、アンテナコイル４３の巻線穴４３１の直径は9mm、第３貫通スロット４５２の幅は1mm、金属板２０の嵌合開口２１の大きさは28mm×23mm、第２貫通スロット２２の幅は1mmである。したがって、金属薄層４５はアンテナコイル４３よりも大きな面積を占めるが、金属板２０を覆うものではない。
【００５１】
四角形のアンテナコイル４３の別の実施例は、次に説明され得る。ここでは、金属薄層４５はアンテナコイル４３よりも大きな面積を占め、金属板２０を覆っている。特に、金属薄層４５の境界寸法は38mm×33mmで、貫通穴の直径は9mm、第３貫通スロット４５２の幅は1mm、他の部品の大きさは上記の実施例に係る部品の大きさと同じである。
【００５２】
上記２種類の寸法の特徴を持つＮＦＣアンテナ組立体１００’とカメラで、以下のように試験を行った。タイプ１とタイプ２は主実験である。特に、タイプ１では、第１貫通スロットがカメラの金属板に形成され、第３貫通スロット４５２が金属薄層４５に形成されている。金属薄層４５の面積は、アンテナコイル４３の面積より大きく、電話の背面カバーの嵌合開口の面積より小さい。タイプ２では、金属薄層４５の面積はアンテナコイル４３の面積と嵌合開口２１の面積より大きい。すなわち、金属薄層４５が電話の背面カバーを覆っている。タイプ３は対照実験である。タイプ３では、カメラの金属板と金属薄層４５には貫通スロットが形成されず、電話の背面カバーには第２貫通スロットのみが形成されている。カード読み取りモードにおける通信距離を評価基準として採用し、実験結果は表２に記載の通りである。
【００５３】
【表２】
0006335312.tif 000003
【００５４】
表２に示すように、タイプ２の通信距離の方がタイプ１の通信距離より長い。すなわち、金属薄層４５は電話の背面カバーを覆っている場合に、ＮＦＣアンテナ組立体１００’の通信距離は長くなる。さらに、金属薄層４５で覆われた電話の背面カバーの面積と通信距離の間の関係について実験を行い、金属薄層４５で覆われた電話の背面カバーの面積が、幅方向と長さ方向ともに2mm〜15mmの寸法の場合は、その面積が大きいほど通信距離は長くなるという結果になった。特に、金属薄層４５で覆われた電話の背面カバーの面積が、幅方向と長さ方向ともに2mm〜10mmの寸法の場合は、通信距離の変化が著しい。
【００５５】
さらに、タイプ１をタイプ３と比較して、またはタイプ２をタイプ３と比較することによって、タイプ１とタイプ２の通信距離がタイプ３より長いことがわかる。つまり、カメラの金属板に形成された第１貫通スロットが渦電流を少なくして、増幅器と同等である金属薄層４５に磁力線がつながり、さらに、電話の背面カバーにもつながる。それによって、磁束が改善され、磁力線が嵌合開口と取付穴を通り抜けられるようになる。そのため、ＮＦＣアンテナ組立体１００’の性能が向上して、コストを抑えられる。
【００５６】
本開示の実施形態に従ったＮＦＣアンテナ組立体１００（１００’）のその他の部品や操作については、関連技術の当業者に知られているため、ここでは省略する。
【００５７】
この明細書を通して、「実施形態」、「いくつかの実施形態」、「一実施形態」、「別の実施例」、「一実施例」、「特定の実施例」、または「いくつかの実施例」のような言及は、その実施形態または実施例に関連した個別の特徴、構造、素材、または特性が、本開示の少なくとも一つの実施形態または実施例に含まれていることを意味する。その上、「いくつかの実施形態において」、「一実施形態において」、「実施形態において」、「別の実施例において」、「一実施例において」、「特定の実施例において」、「いくつかの実施例において」のようなフレーズが、この明細書を通していろいろな所で出現するが、必ずしも本開示の同一の実施形態や実施例を参照しているわけではない。さらに、一つまたは複数の実施形態または実施例において、個別の特徴、構造、素材、または特性がそれぞれ適切な方法で組み合わされてもよい。
【００５８】
例示的な実施形態を示して説明したが、上記の実施形態は本開示を限定するものと解釈することはできず、本開示の精神、原則および範囲から逸脱することなく、これらの実施形態において、変更、代替、および修正がなされ得ることは、当業者により理解されるであろう。
【００５９】
（付記１）
嵌合開口が画成されている金属板であって、前記嵌合開口は当該金属板の厚さ方向に当該金属板を貫通している金属板と、
前記嵌合開口の中に配置される取付シートと、
前記嵌合開口の中に配置され、前記取付シートを取り囲んでいる絶縁ワッシャと、
前記取付シートの上に配置されるＮＦＣアンテナと、
を備え、
前記取付シートは、前記取付シートの半径方向に延びている第１貫通スロットを備え、
前記金属板は、前記嵌合開口から前記金属板の外周に向かって延びている第２貫通スロットを備える、
ＮＦＣアンテナ組立体。
【００６０】
（付記２）
前記取付シートは、取付穴を備え、
前記第１貫通スロットは、前記取付穴から前記取付シートの外周に向かって延びている、
付記１に記載のＮＦＣアンテナ組立体。
【００６１】
（付記３）
前記絶縁ワッシャの内周は、前記取付シートの外周に当接している、
付記２に記載のＮＦＣアンテナ組立体。
【００６２】
（付記４）
前記第１貫通スロットは、前記取付シートの下部に形成されると共に、上下方向に延びる細長いスロットとして構成され、
前記第１貫通スロットの下端は、前記取付シートの外周の下部に向かって延びており、
前記第１貫通スロットの上端は、前記取付穴に向かって延びている、
付記２に記載のＮＦＣアンテナ組立体。
【００６３】
（付記５）
前記第２貫通スロットは、前記第１貫通スロットの長手方向に延びる細長いスロットとして構成され、
前記第２貫通スロットの下端は、前記取付穴に向かって延びており、
前記第２貫通スロットの上端は、前記金属板の外周の上部に向かって延びている、
付記４に記載のＮＦＣアンテナ組立体。
【００６４】
（付記６）
前記ＮＦＣアンテナは、
前記取付シートに接続されたアンテナコイルと、
前記アンテナコイルと前記取付シートの間に配置され、前記アンテナコイルを前記取付シートに接続させるように構成されているアンテナコイル接着層と、
前記アンテナコイルの上に配置されたフェライトコーティングと、
前記フェライトコーティングと前記アンテナコイルの間に配置され、前記フェライトコーティングを前記アンテナコイルに接続させるように構成されているフェライトコーティング接着層と、
を備える、付記４に記載のＮＦＣアンテナ組立体。
【００６５】
（付記７）
前記アンテナコイルは、前記アンテナコイルの中心に位置する巻線穴をさらに備え、
前記巻線穴は、前記取付シートの前記取付穴と重なり合っている、
付記６に記載のＮＦＣアンテナ組立体。
【００６６】
（付記８）
前記ＮＦＣアンテナは、
前記アンテナコイル接着層と前記取付シートの間に配置されている金属薄層と、
前記金属薄層と前記取付シートの間に配置され、前記金属薄層を前記取付シートに接続させるように構成されている金属薄層接着層と、
をさらに備える、付記７に記載のＮＦＣアンテナ組立体。
【００６７】
（付記９）
前記金属薄層は、
貫通穴と、
前記貫通穴から前記金属薄層の外周まで延びている第３貫通スロットと、
を備える、付記８に記載のＮＦＣアンテナ組立体。
【００６８】
（付記１０）
前記アンテナコイルの中心にある前記巻線穴は、前記取付穴および前記貫通穴と重なり合っている、
付記９に記載のＮＦＣアンテナ組立体。
【００６９】
（付記１１）
前記第３貫通スロットは、上下方向に延びる細長いスロットとして構成される、
付記９に記載のＮＦＣアンテナ組立体。
【００７０】
（付記１２）
前記第３貫通スロットは、前記金属薄層の上部に形成され、
前記第３貫通スロットの下端は前記貫通穴まで延びており、
前記第３貫通スロットの上端は前記金属薄層の外周の上部まで延びている、
付記９に記載のＮＦＣアンテナ組立体。
【００７１】
（付記１３）
前記第３貫通スロットは、前記第１貫通スロットの長手方向に延びている、
付記９に記載のＮＦＣアンテナ組立体。
【００７２】
（付記１４）
前記金属薄層の厚さは、10μm〜100μmの範囲である、
付記８から１３のいずれか１つに記載のＮＦＣアンテナ組立体。
【００７３】
（付記１５）
前記金属薄層の面積は前記嵌合開口の面積より大きく、
前記金属薄層の外周は前記金属板の上に配置され、前記金属板と絶縁接続される、
付記８から１３のいずれか１つに記載のＮＦＣアンテナ組立体。
【００７４】
（付記１６）
前記金属薄層の外周は、前記嵌合開口の外周よりも2mm〜15mmはみ出している、
付記１５に記載のＮＦＣアンテナ組立体。
【図１】
0006335312.tif 000004
【図２】
0006335312.tif 000005
【図３】
0006335312.tif 000006
【図４】
0006335312.tif 000007
【図５】
0006335312.tif 000008
【図６】
0006335312.tif 000009
【図７】
0006335312.tif 000010
【図８】
0006335312.tif 000011
【図９】
0006335312.tif 000012
【図１０】
0006335312.tif 000013
【図１１】
0006335312.tif 000014